(57)【要約】      （修正有）【課題】不要輻射の影響を好適に抑制し、且つ振動の少ない光ピックアップ装置を提供する。【解決手段】光ピックアップ装置１は、非導電性の部材より形成される筐体１７及び筺体１７上に備えられ、(i)導電性の部材より形成され、(ii)夫々導通され、且つ(iii)地絡されている複数の部品１２、１５を備える光ピックアップ１０と、光ピックアップ１０を移送する移送手段２４及び光ピックアップ１０の移送を案内する軸部材２２、２３を備えるトラバース装置２０とを備え、光ピックアップ１０は、軸部材２２、２３を軸部材と直交する方向に付勢する付勢手段１５を備えるとともに、付勢手段１５及び筺体１３、１４、１７を介して軸部材と連結され、光ピックアップ１０と、トラバース装置２０とは電気的に絶縁されている。【選択図】図１
2010118124.tif 000002
【特許請求の範囲】
【請求項１】
非導電性の部材より形成される筐体、該筺体上に備えられる複数の部品及び情報記録媒体に対してレーザ光を照射する半導体レーザを備える光ピックアップと、
前記光ピックアップを前記情報記録媒体の半径方向に移送する移送手段及び前記光ピックアップの移送を案内する軸部材を備えるトラバース装置と
を備え、
前記光ピックアップは、(i)前記複数の部品のうちの一つとして、前記軸部材を前記軸部材と直交する方向に付勢する付勢手段を備えるとともに、(ii)前記付勢手段及び前記筺体を介して前記軸部材と連結され、
前記複数の部品は、(i)導電性の部材より形成され、(ii)夫々導通され、且つ(iii)地絡されており、
前記光ピックアップと、前記トラバース装置とは電気的に絶縁されていることを特徴とする光ピックアップ装置。
【請求項２】
前記付勢手段と、前記軸部材とは、非導電性の部材を介して接していることを特徴とする請求項１に記載の光ピックアップ装置。
【請求項３】
前記付勢手段には、塗装、インサート成型及び蒸着のうち少なくとも一つによって非導電性の部材が形成されることを特徴とする請求項１又は２に記載の光ピックアップ装置。
【請求項４】
前記付勢手段と、前記軸部材とは、非導電性の樹脂を介して接していることを特徴とする請求項２に記載の光ピックアップ装置。
【請求項５】
非導電性の部材より形成される筐体、該筺体上に備えられる複数の部品及び情報記録媒体に対してレーザ光を照射する半導体レーザを備える光ピックアップと、
前記光ピックアップを前記情報記録媒体の半径方向に移送する移送手段を備えるトラバース装置と
を備え、
前記複数の部品は、(i)導電性の部材より形成され、(ii)夫々導通され、且つ(iii)地絡されており、
前記複数の部品のうち前記トラバース装置と接し得る部品は、非導電性の部材を介して前記トラバース装置と接していることを特徴とする光ピックアップ装置。
【請求項６】
前記トラバース装置は、前記光ピックアップの移送を案内する軸部材を備えており、
前記複数の部品のうち前記トラバース装置と接し得る部品は、前記軸部材を前記軸部材と直交する方向に付勢する付勢手段であることを特徴とする請求項５に記載の光ピックアップ装置。
【請求項７】
非導電性の部材より形成される筐体、該筺体上に備えられる複数の部品及び情報記録媒体に対してレーザ光を照射する半導体レーザを備える光ピックアップと、
前記光ピックアップを前記情報記録媒体の半径方向に移送する移送手段を備えるトラバース装置と
を備え、
前記複数の部品のうち前記トラバース装置と接しない一又は複数の部品は、(i)導電性の部材より形成され、(ii)夫々導通され、且つ(iii)地絡されており、
前記複数の部品のうち前記トラバース装置と接し得る部品は、非導電性の部材より形成されていることを特徴とする光ピックアップ装置。
【請求項８】
請求項１から７のいずれか一項に記載の光ピックアップ装置を備えることを特徴とする情報記録再生装置。
【発明の詳細な説明】
【技術分野】
【０００１】
本発明は、レーザ光の照射を行うことで光ディスクに対するデータの記録または再生を行う光ピックアップ装置及び情報記録再生装置の技術分野に関する。
【背景技術】
【０００２】
光ピックアップ装置は、典型的には、半導体レーザなどを備える光ピックアップと、該光ピックアップを光ディスクの半径方向に移送させるトラバースメカを備えて構成される。典型的な光ピックアップは、非導電性の樹脂などによって形成されるピックアップボディのうちに、例えば、金属性の回路や放熱部材など、導電性の部材により形成される複数の部品を搭載して構成される。
【０００３】
このとき、ピックアップボディに搭載される導電性の部品が電気的に地絡していない場合、半導体レーザなどの駆動に伴う電流に起因して、不要輻射が発生するという技術的な問題がある。より具体的には、複数の導電性部品が、ループアンテナの役目を果たすことによって、半導体レーザの駆動の際に発生するクロック信号などに起因する高周波重畳電流に応じた不要輻射が発生する。
【０００４】
このような不要輻射は、他の電子部品における信号品質の悪化や誤動作などに繋がる虞があり、厳しい規制の対象となっている。
【０００５】
従来、このような不要輻射を抑制するために、光ピックアップに備えられる導電性部品を互いに接触及び締結させることなどによって導通させ、更に全体を地絡させる対策が採られてきた。
【０００６】
しかしながら、一般的に、地絡されていないトラバースメカと連結される光ピックアップにおいては、トラバースメカとの連結部位に導電性の部材を介すことで、光ピックアップにおける複数の導電性部品とトラバースメカとが導通してしまうことがある。
【０００７】
非特許文献１には、導電性の光ピックアップと、同じく導電性のトラバースメカとの連結部位となる軸部材を導電性を有さない部材で構成することで両者を電気的に絶縁する取り付け構造が開示されている。このような取り付け構造によれば、外部からの電磁ノイズの影響を好適に抑制できるとされている。
【０００８】
また、特許文献１には、ピックアップボディと、ピックアップボディに搭載される放熱部材とを電気的に絶縁することにより、不要輻射を抑制する光ピックアップ装置が開示されている。このような構成によれば、上述したような不要輻射の発生を好適に抑制し得るとされている。
【０００９】
【非特許文献１】実開平６−５２０１２号公報
【特許文献１】特開２００５−１９０５０１号公報
【発明の開示】
【発明が解決しようとする課題】
【００１０】
一般的に、トラバースメカは、光ピックアップの移送を案内するための軸部材（例えば、主軸及び副軸）を備えている。そして、光ピックアップは、該軸部材と連結することでトラバースメカにより保持され、また移送される。
【００１１】
ところで、光ピックアップは、データの記録や再生に際し、光ディスクに対して、厳密に位置や角度が調整されている必要がある。しかしながら、光ピックアップは、小さな振動や衝撃によっても、特に副軸との連結部位が振動し、データの記録や再生にエラーを生じる可能性がある。このような振動を抑制するために、副軸との連結部位に付勢用の板バネなどを備えた光ピックアップがある。
【００１２】
例えば、上述の特許文献１には、このような付勢バネなどの光ピックアップの信号を抑制する手段が備えられていない。このため、レーザ光の照射に対し、光ピックアップの位置や角度調整の精度が低下してしまうことから、記録や再生時の精度の低下や、ライトスクライブ（Light Scribe）技術に対応できないという技術的な問題がある。
【００１３】
しかしながら、このような付勢バネを介して、光ピックアップとトラバースメカとが導通してしまう事例がある。
【００１４】
本発明はこのような課題に鑑みて為されたものであり、光ピックアップとトラバースメカとが導通することに起因する不要輻射を抑制出来る光ピックアップ装置及び情報記録再生装置を提供することを課題とする。
【課題を解決するための手段】
【００１５】
上記課題を解決するために、請求項１に記載の光ピックアップ装置は、非導電性の部材より形成される筐体、該筺体上に備えられる複数の部品及び情報記録媒体に対してレーザ光を照射する半導体レーザを備える光ピックアップと、前記光ピックアップを前記情報記録媒体の半径方向に移送する移送手段及び前記光ピックアップの移送を案内する軸部材を備えるトラバース装置とを備え、前記光ピックアップは、(i)前記複数の部品のうちの一つとして、前記軸部材を前記軸部材と直交する方向に付勢する付勢手段を備えるとともに、(ii)前記付勢手段及び前記筺体を介して前記軸部材と連結され、前記複数の部品は、(i)導電性の部材より形成され、(ii)夫々導通され、且つ(iii)地絡されており、前記光ピックアップと、前記トラバース装置とは電気的に絶縁されている。
【００１６】
上記課題を解決するために、請求項５に記載の光ピックアップ装置は、非導電性の部材より形成される筐体、該筺体上に備えられる複数の部品及び情報記録媒体に対してレーザ光を照射する半導体レーザを備える光ピックアップと、前記光ピックアップを前記情報記録媒体の半径方向に移送する移送手段を備えるトラバース装置とを備え、前記複数の部品は、(i)導電性の部材より形成され、(ii)夫々導通され、且つ(iii)地絡されており、前記複数の部品のうち前記トラバース装置と接し得る部品は、非導電性の部材を介して前記トラバース装置と接している。
【００１７】
上記課題を解決するために、請求項７に記載の光ピックアップ装置は、非導電性の部材より形成される筐体、該筺体上に備えられる複数の部品及び情報記録媒体に対してレーザ光を照射する半導体レーザを備える光ピックアップと、前記光ピックアップを前記情報記録媒体の半径方向に移送する移送手段を備えるトラバース装置とを備え、前記複数の部品のうち前記トラバース装置と接しない一又は複数の部品は、(i)導電性の部材より形成され、(ii)夫々導通され、且つ(iii)地絡されており、前記複数の部品のうち前記トラバース装置と接し得る部品は、非導電性の部材より形成されている。
【００１８】
上記課題を解決するために、請求項８に記載の情報記録再生装置は、請求項１から７のいずれか一項に記載の光ピックアップ装置を備える。
【発明を実施するための最良の形態】
【００１９】
本発明の光ピックアップ装置に係る第１実施形態は、非導電性の部材より形成される筐体、該筺体上に備えられる複数の部品及び情報記録媒体に対してレーザ光を照射する半導体レーザを備える光ピックアップと、前記光ピックアップを前記情報記録媒体の半径方向に移送する移送手段及び前記光ピックアップの移送を案内する軸部材を備えるトラバース装置とを備え、前記光ピックアップは、(i)前記複数の部品のうちの一つとして、前記軸部材を前記軸部材と直交する方向に付勢する付勢手段を備えるとともに、(ii)前記付勢手段及び前記筺体を介して前記軸部材と連結され、前記複数の部品は、(i)導電性の部材より形成され、(ii)夫々導通され、且つ(iii)地絡されており、前記光ピックアップと、前記トラバース装置とは電気的に絶縁されている。
【００２０】
本発明の光ピックアップ装置に係る第１実施形態によれば、非導電性の筺体に、半導体レーザなどの複数の部品が搭載されて成る光ピックアップと、光ピックアップを移送させるための移送手段及び光ピックアップの移送を案内する軸部材を備えるトラバース装置とを備えて構成される。
【００２１】
ここに、筺体に搭載される複数の部品は夫々、導電性の部材より形成されるとともに、接触や締結などによって互いに導通し、且つ地絡されている。このような複数の部品として、光ピックアップの筺体に搭載される、半導体レーザや放熱板や、レーザ駆動用の回路などが一例として挙げられる。このような複数の部品は、互いに接触や締結されることなどによって導通されている。これにより、所謂ループアンテナ状の回路が形成され、典型的には、該ループアンテナ状の回路内に電流が流れることによって、不要輻射の一因となる可能性がある。
【００２２】
そこで、本発明の光ピックアップ装置の第１実施形態によれば、互いに導通された複数の部品は、例えば、外部のグラウンド端子に電気的に接続されることによって地絡されている。このような構成によれば、上述したループアンテナ状の回路に電流が流れなくなり、好適に不要輻射を抑制することが出来る。
【００２３】
ところで、上述したように光ピックアップと移送用のトラバース装置とは、軸部材を介して連結されている。ここに、両者の連結部位に導電性の部材が介在した場合、一般的に地絡されていないトラバース装置に対し、光ピックアップ側から本来地絡されるはずのノイズ電流が流れ込む可能性がある。このとき、トラバース装置を構成する導電性の部材がループアンテナ状の回路を形成することとなり、更なる不要輻射が発生する一因となることがある。
【００２４】
典型的には、トラバース装置は、移送用のモータにより駆動される移送軸上を駆動する移送用の部材と光ピックアップとが連結されることによって、光ピックアップの移送を実現している。尚、典型的には、上述した移送軸は、光ピックアップ装置にマウントされる光ディスクである情報記録媒体の半径方向と平行な軸である。このため、移送用のモータの駆動に伴い、移送軸に沿って移送用の部材が移動することによって、光ピックアップが情報記録媒体の半径方向に沿って移動することを可能としている。
【００２５】
また、トラバース装置は、光ピックアップの移送を案内するために移送軸と平行な二本の軸部材（つまり、主軸と副軸）を備える。光ピックアップは、筐体に備えられる支持部などを介して主軸及び副軸を保持することで、振動の生じにくい態様で移動を行うことが出来る。
【００２６】
また、光ピックアップにおける振動を更に抑制するために、本発明の光ピックアップ装置の第１実施形態によれば、光ピックアップに接続され、主軸または副軸に対して軸方向と直交する方向へ付勢する付勢手段が備えられる。このような付勢手段によれば、主軸及び副軸のうち比較的支持が弱い方に備えられ、対応する軸部材を筐体の支持部に付勢することで、振動の生じる余地を抑制することが出来る。以下、便宜上、光ピックアップとの間で比較的支持が弱い側の軸を副軸と記載する。従って、以下、特に記載しない限りは、付勢手段は副軸を付勢するよう備えられる。
【００２７】
上述したように、本発明の光ピックアップ装置の第１実施形態によれば、光ピックアップと、トラバース装置とは、移送部材、主軸、副軸及び付勢手段を介して接するよう構成されている。
【００２８】
多くの場合、副軸に接する付勢手段がトラバース装置を構成する部品（つまり、副軸）と導通している。上述したように、トラバース装置は地絡されていないため、付勢手段とトラバース装置とが導通することにより、トラバース装置がループアンテナの役目を果たし、不要輻射を悪化させることがある。
【００２９】
また、付勢手段とトラバース装置とは、導通状態にある場合でも、例えば締結による確実な導通状態が維持されることは少ない。また、付勢手段とトラバース装置とが接触することで導通状態にある場合でも、光ピックアップの駆動などに起因する振動によって、導通状態は刻一刻と態様が変化し、時には導通状態が解消されることもある。このような不安定な導通状態に起因して、瞬間的にピーク状のノイズが発生するなど、不要輻射を不定期に悪化させる可能性がある。
【００３０】
そこで、本発明の光ピックアップ装置の第１実施形態によれば、光ピックアップとトラバース装置とは、電気的に絶縁状態にあるよう構成される。このとき、上述した移送部材及び主軸は、非導電性の部材により形成されるピックアップボディを介して光ピックアップと接続されることから、改めて絶縁を行う意義は比較的薄い。本発明の実施形態によれば、特に、導電性の部材により形成されることが多い付勢手段と副軸とを電気的に絶縁させることで、光ピックアップとトラバース装置との間での電気的な絶縁が実現される。
【００３１】
このように構成することで、付勢手段による振動の抑制という顕著な効果を享受する一方で、該付勢手段を介することによる光ピックアップとトラバース装置との間の導通状態を好適に抑制できる。
【００３２】
また、付勢手段と副軸とが接する部位に着目して絶縁を行えば良く、光ピックアップとトラバース装置との間の絶縁を比較的容易に実現することが出来る。
【００３３】
結果として、光ピックアップ内の地絡状態を好適に維持することが可能となり、トラバース装置と導電してしまうことに起因する不要輻射を好適に抑制することが出来る。
【００３４】
本発明の光ピックアップ装置に係る第１実施形態の他の態様は、前記付勢手段と、前記軸部材とは、非導電性の部材を介して接している。
【００３５】
この態様によれば、付勢手段は、非導電性の部材を介して軸部材と接する（言い換えれば、付勢する）。従って、例えば、強度や加工法などの構造的な要請に基づいて、付勢バネや軸部材が導電性の部材により構成されていたとしても、両者の間に非導電性の部材を介することで好適に両者を電気的に絶縁することが出来る。
【００３６】
このとき、非導電性の部材は、少なくとも、付勢手段と軸部材とが当該非導電性の部材を介さずに接することがないよう備えられていれば良い。
【００３７】
このように構成することで、光ピックアップ内の地絡状態を好適に維持することが可能となり、トラバース装置と導電してしまうことに起因する不要輻射を好適に抑制することが出来る。
【００３８】
本発明の光ピックアップ装置に係る第１実施形態の他の態様は、前記付勢手段には、塗装、インサート成型及び蒸着のうち、少なくとも一つによって非導電性の部材が形成される。
【００３９】
この態様によれば、付勢手段の表面が非導電性の部材で覆われるため、付勢手段は、該非導電性の部材を介して軸部材と接する（言い換えれば、付勢する）。従って、例えば、強度や加工法などの構造的な要請に基づいて、付勢バネや軸部材が導電性の部材により構成されていたとしても、付勢手段の表面を非導電性の部材で覆うことで好適に両者を電気的に絶縁することが出来る。また、塗装、インサート成型及び蒸着などの手段によれば、付勢手段の表面を比較的容易に非導電性の部材で覆うことが出来るため、このような付勢手段の製作がより効率的且つ低コストで実施できるという利点もある。
【００４０】
また、本態様においては、付勢手段の表面のうち、少なくとも、軸部材と接する部位のみが非導電性の部材で覆われていれば、上述の効果を好適に発揮し得る。つまり、少なくとも、付勢手段と軸部材とが非導電性の部材を介さずに接することがないよう備えられていれば良い。
【００４１】
このように構成することで、光ピックアップ内の地絡状態を好適に維持することが可能となり、トラバース装置と導電してしまうことに起因する不要輻射を好適に抑制することが出来る。
【００４２】
また、上述のように、前記付勢手段と、前記軸部材とが非導電性の部材を介して接している態様においては、前記付勢手段と、前記軸部材とは、非導電性の樹脂を介して接するよう構成されていても良い。
【００４３】
このとき、成形し易い樹脂を用いることで、光ピックアップ内の地絡状態を好適に維持することが可能となり、トラバース装置と導電してしまうことに起因する不要輻射を好適に抑制することが出来るという効果を比較的容易に享受することが出来る。
【００４４】
本発明の光ピックアップ装置に係る第２実施形態は、非導電性の部材より形成される筐体、該筺体上に備えられる複数の部品及び情報記録媒体に対してレーザ光を照射する半導体レーザを備える光ピックアップと、前記光ピックアップを前記情報記録媒体の半径方向に移送する移送手段を備えるトラバース装置とを備え、前記複数の部品は、(i)導電性の部材より形成され、(ii)夫々導通され、且つ(iii)地絡されており、前記複数の部品のうち前記トラバース装置と接し得る部品は、非導電性の部材を介して前記トラバース装置と接している。
【００４５】
本発明の光ピックアップ装置に係る第２実施形態によれば、上述した第１実施形態に係る光ピックアップ装置と同様に、非導電性の筺体に、半導体レーザなどの複数の部品が搭載されて成る光ピックアップと、光ピックアップを移送させるための移送手段を備えるトラバース装置とを備えて構成される。また、第２実施形態に係る光ピックアップ装置においても、互いに導通された複数の部品は、例えば、外部のグラウンド端子に電気的に接続されることによって地絡されているため、上述したループアンテナ状の回路に電流が流れなくなり、好適に不要輻射を抑制することが出来る。
【００４６】
第２実施形態では特に、複数の部品のうちトラバース装置と接し得る部品は、非導電性の部材を介してトラバース装置と接している。従って、光ピックアップとトラバース装置との間での電気的な絶縁が実現される。これにより、光ピックアップ内の地絡状態を好適に維持することが可能となり、トラバース装置と導電してしまうことに起因する不要輻射を好適に抑制することが出来る。
【００４７】
尚、上述した第１実施形態に係る光ピックアップ装置が採用する各種態様に対応して、第２実施形態に係る光ピックアップ装置も各種態様を採用してもよい。
【００４８】
本発明の光ピックアップ装置に係る第２実施形態の一の態様は、前記トラバース装置は、前記光ピックアップの移送を案内する軸部材を備えており、前記複数の部品のうち前記トラバース装置と接し得る部品は、前記軸部材を前記軸部材と直交する方向に付勢する付勢手段である。
【００４９】
この態様によれば、トラバース装置と接触する（より具体的には、トラバース装置が備える軸部材と接触する）付勢手段とトラバース装置との間での電気的な絶縁が実現される。従って、上述した第１実施形態に係る光ピックアップ装置と同様に、付勢手段による振動の抑制という顕著な効果を享受する一方で、該付勢手段を介することによる光ピックアップとトラバース装置との間の導通状態を好適に抑制できる。
【００５０】
本発明の光ピックアップ装置に係る第３実施形態は、非導電性の部材より形成される筐体、該筺体上に備えられる複数の部品及び情報記録媒体に対してレーザ光を照射する半導体レーザを備える光ピックアップと、前記光ピックアップを前記情報記録媒体の半径方向に移送する移送手段を備えるトラバース装置とを備え、前記複数の部品のうち前記トラバース装置と接しない一又は複数の部品は、(i)導電性の部材より形成され、(ii)夫々導通され、且つ(iii)地絡されており、前記複数の部品のうち前記トラバース装置と接し得る部品は、非導電性の部材より形成されている。
【００５１】
本発明の光ピックアップ装置に係る第３実施形態によれば、上述した第１実施形態に係る光ピックアップ装置と同様に、非導電性の筺体に、半導体レーザなどの複数の部品が搭載されて成る光ピックアップと、光ピックアップを移送させるための移送手段を備えるトラバース装置とを備えて構成される。また、第３実施形態に係る光ピックアップ装置においても、互いに導通された複数の部品（特に、トラバース装置と接触しない複数の部品）は、例えば、外部のグラウンド端子に電気的に接続されることによって地絡されているため、上述したループアンテナ状の回路に電流が流れなくなり、好適に不要輻射を抑制することが出来る。
【００５２】
第３実施形態では特に、複数の部品のうちトラバース装置と接し得る部品は、非導電性の部材より形成されている。従って、光ピックアップとトラバース装置との間での電気的な絶縁が実現される。これにより、光ピックアップ内の地絡状態を好適に維持することが可能となり、トラバース装置と導電してしまうことに起因する不要輻射を好適に抑制することが出来る。
【００５３】
尚、このような非導電性の部材の一例として、ＰＰＳ（Polyphenylenesulfide）などのエンジニアリングプラスチックなどが用いられても良い。
【００５４】
尚、上述した第１又は第２実施形態に係る光ピックアップ装置が採用する各種態様に対応して、第３実施形態に係る光ピックアップ装置も各種態様を採用してもよい。
【００５５】
本発明の情報記録再生装置に係る実施形態は、上述した本発明の光ピックアップ装置に係る第１、第２又は第３実施形態（但し、その各種態様を含む）を備える。
【００５６】
本発明の情報記録再生装置に係る実施形態によれば、上述した本発明の光ピックアップ装置に係る第１、第２又は第３実施形態が享受することができる各種効果と同様の効果を享受しながら、好適なデータの記録や再生を実施することが出来る。
【００５７】
尚、上述した本発明の光ピックアップ装置に係る第１、第２又は第３実施形態における各種態様に対応して、本発明の情報記録再生装置に係る実施形態も各種態様を採ることが可能である。
【００５８】
以上、説明したように、本発明の光ピックアップ装置に係る第１実施形態によれば、筺体、複数の部品及び半導体レーザを備える光ピックアップと、付勢手段及び軸部材を備えるトラバース装置とを備え、光ピックアップと、トラバース装置とは電気的に絶縁されている。本発明の光ピックアップに係る第２実施形態によれば、筺体、複数の部品及び半導体レーザを備える光ピックアップと、移送手段を備えるトラバース装置とを備え、複数の部品のうちトラバース装置と接し得る部品は、非導電性の部材を介してトラバース装置と接している。本発明の光ピックアップに係る第３実施形態によれば、筺体、複数の部品及び半導体レーザを備える光ピックアップと、移送手段を備えるトラバース装置とを備え、複数の部品のうちトラバース装置と接し得る部品は、非導電性の部材から形成されている。本発明の情報記録再生装置に係る実施形態は、上述した本発明の光ピックアップ装置に係る第１、第２又は第３実施形態を備える。従って、データの記録や再生の際に、不要輻射をも好適に抑制することが出来る。
【実施例】
【００５９】
以下、本発明を実施するための最良の形態について図面を参照して説明する。
【００６０】
（１）基本構成
始めに、図１を参照して、本発明の実施例に係る光ピックアップ装置１の基本的な構成について説明しながら、該光ピックアップ装置１の基本的な動作について説明する。ここに、図１は、本発明の実施例に係る光ピックアップ装置１の基本的な構成を示す上面図及び側面図である。尚、光ピックアップ装置１は、典型的には、レーザ光の照射のための光ピックアップ１０と、該光ピックアップ１０を光ディスク１００の半径方向に移動させるトラバースメカ２０より構成される。
【００６１】
先ず、図１において、光ピックアップ１０は、ピックアップボディ１７のうちに、レーザダイオード（ＬＤ）（不図示）、レーザダイオードドライバ（ＬＤＤ）（不図示）、対物レンズ１１、対物レンズ駆動装置１２、主軸支持部材１３、副軸支持部材１４及び複軸付勢バネ１５を備えて構成される。
【００６２】
ＬＤは、ＬＤＤに接続され、ピックアップボディ１７の内部に光学的に好適な態様で保持されている。ＬＤＤは、ＬＤによるレーザ光の照射の態様を制御する。このとき、不図示の対物レンズ駆動制御装置（例えば、フォーカスサーボ制御装置）の動作によって、対物レンズ駆動装置１２が駆動される。その結果、対物レンズ１１は、光ディスク１１の記録面の法線方向に沿った方向に移動する。これにより、レーザ光は、光ディスク１００上の所望の焦点位置に集光される。
【００６３】
主軸支持部材１３及び副軸支持部材１４は、典型的には、非導電性の部材により構成されるアームであって、夫々主軸２２及び副軸２３を支持することによって、光ピックアップ１０の移動（特に、光ディスク１００の半径方向に沿った移動）を可能としている。
【００６４】
副軸付勢バネ１５は、本発明の「付勢手段」の一具体例であって、副軸２３に対し、副軸２３の軸方向と直交する方向に付勢する、典型的には金属製の板バネである。樹脂キャップ１６は、非導電性の樹脂より形成される、例えば膜状の部品であって、副軸付勢バネ１５の先端部であって副軸２３と接する部位に設置される。つまり、副軸付勢バネ１５は、樹脂キャップ１６を介して副軸２３に対して付勢する（言い換えれば、接する）。
【００６５】
また、光ピックアップ１０は、上に説明した以外にも、例えば、公知の光ピックアップと同様の部品を備えて構成されている。特に本実施例においては、光ピックアップ１０内の導電性の部品（例えば、ＬＤＤや対物レンズ駆動装置１２など）は、夫々互いに導通している。また、互いに導通するこれらの導電性の部品は、地絡されている。より具体的には、地絡される導電性の部品は、光ピックアップ装置１全体の動作を制御するとともに、電源となる本体基板（不図示）内の所定の端子に接続されることで、地絡されている。
【００６６】
トラバースメカ２０は、スピンドルモータ２１、主軸２２、副軸２３、移送モータ２４、移送部材２５及び移送軸２６を備えて構成される。
【００６７】
スピンドルモータ２２は、マウントされる光ディスク１００を回転及び停止させるもので、光ディスク１００へのアクセス時に動作する。より詳細には、スピンドルモータ２２は、不図示のサーボユニット等によりスピンドルサーボを受けつつ所定速度で光ディスク１００を回転及び停止させるように構成されている。
【００６８】
主軸２２及び副軸２３は、トラバースメカ２０に光ピックアップ１０を取り付けるための軸部材であって、上述のように主軸支持部材１３及び副軸支持部材１４、並びに副軸付勢バネ１５及び樹脂キャップ１６を介して光ピックアップ１０に連結される。また、主軸２２及び副軸２３の軸方向は、マウントされる光ディスク１００の半径方向と平行になるように配置されており、後述する移送モータ２４、移送部材２５及び移送軸２６の動作によって、光ピックアップ１０の光ディスク１００の半径方向の移動を案内する。
【００６９】
移送モータ２４は、不図示の前記本体基板に接続され、同じく該本体基板に接続されるＣＰＵなどの制御部によって、移送軸２６に沿って移送部材２５を移動させるよう制御される。移送部材２５は、一方の端部を移送軸２６上に配置され、もう一方の端部が主軸支持部材１３を介して光ピックアップ１０を保持するよう構成されている。このような移送部材２５によれば、移送モータ２４の駆動に従って、移送軸２６に沿って移動することで、光ピックアップ１０の移動を実現させる。このとき、移送軸２６の軸方向は、主軸２３及び副軸２４夫々の軸方向と平行であり、従って移送軸２６に沿って移送部材２５が移動することによって、光ピックアップ１０は、主軸２２及び副軸２３に沿って（つまり、光ディスク１００の半径方向に）移動する。
【００７０】
次に、光ピックアップ装置１の基本的な動作を説明する。光ピックアップ１０が備えるＬＤから出射されたレーザ光は、対物レンズ１１によって集光され、光ディスク１００上にスポットを形成する。データの記録時には、ＬＤＤの制御のもと、ＬＤにより照射されるレーザ光のレーザパワーが適宜変調されることによって、光ディスク１００の盤面上に記録マークが形成される。他方で、データの再生時には、光ディスク１００からの反射光に含まれる受光信号は、光ピックアップ１０内に備えられる受光素子（不図示）によって検出される。
【００７１】
不図示の本体基板に接続されるＣＰＵなどの制御部の制御のもと、トラバースメカ２０に搭載された移送モータ２４が駆動されることによって、光ピックアップ１０は、データの記録または再生動作に際して、光ディスク１００の内周側に向かってまたは外周に向かって移送される。
【００７２】
（２）効果の説明
データの記録または再生動作に際して、本体基板に形成される回路や、ＬＤや、ＬＤＤや、移送モータ２４などの部材には電流が供給される。このとき、光ピックアップ１０に備えられるＬＤが駆動されると、その際の高周波重畳電流に応じて、不要輻射が発生する。このような不要輻射は、典型的には、光ピックアップ１０に備えられ、互いに導通する導電性部品がループアンテナの役目を果たすことによって、発生するものとされている。また、このような不要輻射によって、周囲の電子部品などに誤動作やノイズが生じることが知られている。
【００７３】
従来、このような不要輻射を抑制するために、光ピックアップ１０に備えられる導電性部品を互いに接触及び締結されることなどによって導通させ、更に全体を地絡させる対策が採られてきた。しかしながら、従来型の光ピックアップ装置１においては、光ピックアップ１０と、トラバースメカ２０とが導電性の部材を介して接することがある（つまり、導通する）。ここに、トラバースメカ２０は、典型的には、導電性の部材により形成されており、且つ地絡されていない。このため、光ピックアップ１０と、トラバースメカ２０とが導通する場合、本来地絡するはずの光ピックアップ１０におけるノイズ電流がトラバースメカ２０へと流れることになる。この結果、光ピックアップ１０に備えられる電子部品とトラバースメカ２０とが導通してしまう。その結果、トラバースメカ２０がループアンテナの役目を果たして、不要輻射を発生させてしまうという技術的な問題がある。尚、トラバースメカ２０は、典型的には、光ピックアップ１０と比較して、より大きいため、形成されるループアンテナの面積が増大することから、トラバースメカ２０を介さない場合に比して、不要輻射もまた増大してしまうこととなる。
【００７４】
以上のことを踏まえて、光ピックアップ１０と、トラバースメカ２０とを絶縁することが、不要輻射の抑制のために効果的である。そのため、例えば、光ピックアップ１０と、トラバースメカ２０とが接する部位である主軸支持部材１３及び副軸支持部材１４を非導電性の部材で形成するなどの対策が採られている。
【００７５】
ところで、光ピックアップ１０は、駆動に際して小さな振動や衝撃によっても、大きく振動してしまうことがある。典型的には、主軸２２及び副軸２３により指示される部材、特に、副軸支持部材１４の周囲が上下に揺れることで、光ピックアップ１０全体が振動してしまう。このような振動によって、データの記録または再生時に、エラーを生じさせる技術的な問題が指摘されている。
【００７６】
このような技術的問題を解決するために、副軸支持部材１４の周囲が振動することを抑制するために、副軸付勢バネ１５が備えられることがある。
【００７７】
副軸付勢バネ１５は、典型的には、金属性の板バネであり、副軸２３と接する部位で光ピックアップ１０が振動しないよう、副軸２３に対して付勢するよう構成される。このとき、副軸付勢バネ１５が導電性の部材により形成される場合、上述したように、光ピックアップ１０と、トラバースメカ２０とが導通してしまうこととなる。
【００７８】
本実施例によれば、導電性の部材により形成される副軸付勢バネ１５と、副軸２３とが、間に非導電性の樹脂キャップ１６を介在して接する。従って、副軸付勢バネ１５は、樹脂キャップ１６を介して副軸２３に対して付勢する。
【００７９】
このため、副軸付勢バネ１５と副軸２３、ひいては、光ピックアップ１０とトラバースメカ２０とが絶縁され、従って不要輻射の発生を抑制することが出来る。
【００８０】
尚、トラバースメカ２０と、該トラバースメカ２０及び光ピックアップ１０が収納され、光ピックアップ装置１を形成する不図示の光ピックアップケースとを、例えば樹脂製のワッシャなどの緩衝材や、板バネなどの付勢部材などを用いて連結することで、上述したような振動の発生を更に好適に抑制することが出来る。
【００８１】
ここで、図２及び図３を参照して、本実施例に係る光ピックアップ装置１におけるノイズのレベルと、本実施例に依らない、言い換えれば、従来型の光ピックアップ装置におけるノイズのレベルとを比較して、本実施例の効果を説明する。
【００８２】
図２は、本実施例に係る樹脂キャップ１６を備えない、光ピックアップ装置１における周波数とノイズのレベルとを表すグラフの例である。本実施例における不要輻射を抑制させるという効果を享受出来ない構成であることから、言い換えれば、従来型の光ピックアップ装置１におけるノイズのレベルを表すグラフである。
【００８３】
他方、図３は、図２における光ピックアップ装置１に、本実施例に係る樹脂キャップ１５を備えた構成における周波数とノイズのレベルとを表すグラフの例である。
【００８４】
ここに、図２及び図３において、４７ｄＢ程度のノイズのレベルを示すラインが、不要輻射の規制のための上限である。この規制ラインを超過するレベルのノイズが検出されることは、ピックアップ装置として極めて好ましくない。また、規制ライン以下のレベルのノイズが検出される場合であっても、ノイズのレベルと規制ラインとの間にある程度十分なマージンがあることが好ましい。
【００８５】
図２と図３のグラフを比較するに、図２のグラフにおいて顕著に見られる、突出したピーク状のノイズが、図３のグラフにおいては、そのレベルが抑制されている。
【００８６】
ここに、副軸と光ピックアップとは、例えば、互いに導電性の部材が接触や締結されることなどによって導通状態が確保されているわけではなく、典型的には、振動や衝撃によって導通状態が変化するなど、不安定な導通状態にある。このような不安定な導通状態の例として、例えば、副軸と、光ピックアップの付勢バネとの間に、摩擦を抑制するためのグリスなどの潤滑剤が塗布されている場合などが考えられる。このような場合には、潤滑剤によって油膜が形成されている部分では、光ピックアップと副軸、ひいてはトラバースメカとが絶縁し、他方、油膜が途切れている部分においては導通されることとなる。そして、このような油膜の状態が光ピックアップの振動などによって変化することによって、電気的に不安定な接続状態となり、図に示されるようなピーク上のノイズとして現れる。
【００８７】
従って、本実施例における樹脂キャップ１６を備えることで、上述したような副軸２３と副軸付勢バネ１５との間の不安定な導通状態を解消し、完全に絶縁状態とすることが出来るため、このようなピーク状のノイズが抑制される。
【００８８】
また、このような不要輻射によるノイズのレベルは、高周波になるほど顕著に上昇する傾向がある。図２に示されるノイズの数値も、周波数が７５０ＭＨｚから、周波数の上昇に応じてある程度の勾配を有して徐々に増大していく。つまり、周波数とノイズのレベルとの間に正の相関関係が見られる。
【００８９】
他方で、図３に示される本実施例に係る光ピックアップ装置１におけるノイズのレベルを観察するに、図２に比してノイズのレベルの周波数に対する勾配が抑制されていることが見られる。
【００９０】
本実施例においては、図２と図３を比較するに、８００ＭＨｚから１ＧＨｚの周波数域において、不要輻射によるノイズのレベルが全体的に抑制され、特に、高周波数域においてその抑制効果は顕著である。
【００９１】
以上、説明したように、本実施例によれば、非導電性のピックアップボディ１７に搭載される、例えば放熱板などの導電性の部品を、夫々互いに導通させるとともに地絡させ、且つ、光ピックアップ１０と、トラバースメカ２０とを電気的に絶縁することによって、不要輻射によるノイズのレベルを好適に抑制することが出来る。
【００９２】
尚、ここに、導電性の部品を夫々導通させるとともに地絡させることとは、上述した通り、ループアンテナを形成することで不要輻射の発生に寄与し得る部品をすべて導通させるとともに地絡させるという趣旨である。従って、ループアンテナとしての役目を果たさないような導電性の部品に対しては、導通及び地絡を行わないよう構成されていても良い。言い換えれば、ループアンテナをとなり得る最小限の導電性の部品が導通され且つ地絡されていれば、上述した効果を享受することが出来る。また、このように必要最小限の導電性の部品を導通させる構成とすることで、不要な導通のための回路を構成するために必要なコストの削減などを実現することが出来る。
【００９３】
また、典型的には、本実施例における導電性の部品の一例としてＬＤＤなどの所謂電気部品を互いに導通させ且つ地絡させる場合は、回路構成によって互いに導通されるとともに、例えば、ＧＮＤ端子に接続されることによって地絡されることが好ましい。
【００９４】
また、本実施例によれば、光ピックアップ１０に備えられる導電性の付勢バネ１５に対し、非導電性の樹脂キャップ１６を設置した上で、該樹脂キャップ１６を介することで、付勢バネ１５と、副軸２３とが接するよう構成される。このような構成によれば、比較的容易に、光ピックアップ１０とトラバースメカ２０とを電気的に絶縁することが出来る。
【００９５】
尚、上述の実施例によれば、非導電性の樹脂キャップ１６を設置することで光ピックアップ１０とトラバースメカ２０とを電気的に絶縁しているが、その他の態様によって絶縁が実現されても良いことは言うまでもない。
【００９６】
例えば、付勢バネ１５を非導電性の樹脂などにより形成しても良く、また、導電性の部材より形成される付勢バネ１５を、非導電性の樹脂や塗料で覆うよう形成されていても良い。少なくとも、付勢バネ１５と副軸２３とを電気的に絶縁することで、ひいては光ピックアップ１０とトラバースメカ２０とを電気的に絶縁することが出来れば、いかなる構成であっても、上述した本実施例に係る顕著な効果を享受し得るものである。
【００９７】
また、上述の実施例によれば、副軸付勢バネ１５に非導電性の樹脂キャップ１６を設置しているが、副軸付勢バネ１５以外の部材であって且つトラバースメカ２０若しくはトラバースメカ２０が備える部材と接する部材に非導電性の樹脂キャップ１６を設置してもよい。この場合にも、樹脂キャップ１６以外の構成によって、副軸付勢バネ１５以外の部材であって且つトラバースメカ２０若しくはトラバースメカ２０が備える部材と接する部材とトラバースメカ２０との間の電気的な絶縁を実現してもよい。
【００９８】
本発明は、上述した実施例に限られるものではなく、特許請求の範囲及び明細書全体から読み取れる発明の要旨或いは思想に反しない範囲で適宜変更可能であり、そのような変更を伴う光ピックアップ装置及び情報記録再生装置もまた本発明の技術的範囲に含まれるものである。
【図面の簡単な説明】
【００９９】
【図１】本実施例に係る光ピックアップ装置の基本的な構成例を示すブロック図である。
【図２】本実施例に係る樹脂キャップを備えない、光ピックアップ装置における周波数とノイズのレベルとを表すグラフである。
【図３】図２における光ピックアップ装置に、本実施例に係る樹脂キャップを備えた構成における周波数とノイズのレベルとを表すグラフである。
【符号の説明】
【０１００】
１  光ピックアップ装置、
１０  光ピックアップ、
１１  対物レンズ、
１２  対物レンズ駆動装置、
１３  主軸支持部材、
１４  副軸支持部材、
１５  副軸付勢バネ、
１６  樹脂キャップ、
２０  トラバースメカ、
２１  スピンドルモータ、
２２  主軸、
２３  副軸、
２４  移送モータ、
２５  移送部材、
２６  移送軸
【図１】
2010118124.tif 000003
【図２】
2010118124.tif 000004
【図３】
2010118124.tif 000005